(57)【要約】【課題】衝撃力を受けても、伝動機構と摺動機構との精確な噛合を維持すること。【解決手段】伝動機構と、摺動機構と、収容空間と、減衰器とを含み、本体にあるクランクを駆動して台座が回転するようになると、魚釣り線が巻き取られる釣竿用リールにおいて、前記伝動機構は、前記本体内に組み付けられ、前記クランクと結合し、前記台座を回転するためのものであり、前記摺動機構は、前記本体内に組み付けられ、前記伝動機構と噛合い、前記台座を直線的に移動するためのものであり、更に、第一端と第二端とを持つウォンシャフトを有し、前記収容空間は、前記本体の壁面に形成され、前記ウォンシャフトの一端部が前記収容空間に挿入され、前記減衰器は、前記収容空間に組付けられ、前記ウォンシャフトと前記本体の壁面の間に位置する。【選択図】図１
0003129092.tif 000002
【実用新案登録請求の範囲】
【請求項１】
伝動機構と、摺動機構と、収容空間と、減衰器とを含み、本体にあるクランクを回転駆動して台座を回転させることにより魚釣り線を巻き取る釣竿用リールにおいて、
前記伝動機構は、前記本体内に組み付けられ、前記台座を回転し得るように前記クランクと結合し、
台座を直線的に移動するための前記摺動機構は、前記伝動機構と噛合して前記本体内に組み付けられると共に、第一端と第二端とを持つウォンシャフトを具備し、
前記収容空間は、前記本体の壁面に形成されて、前記ウォンシャフトの一端部が挿入され、
外部から作用する衝撃力を減衰する機能を有する前記減衰器は、前記収容空間に組付けられ、前記ウォンシャフトと前記本体の壁面の間に位置させたことを特徴とする、
釣竿用リール。
【請求項２】
前記減衰器はバネであり、その両端が、前記ウォンシャフトの第一端と、前記本体の壁面とにそれぞれ付勢するように配置したことを特徴とする、請求項１に記載の釣竿用リール。
【請求項３】
前記減衰器はバネであり、その一端が前記ウォンシャフトの第一端に係止され、その他端が前記本体の壁面に付勢するように配置したことを特徴とする、請求項１に記載の釣竿用リール。
【請求項４】
前記ウォンシャフトの第一端には、前記減衰器の一端と結合するための溝が形成してあり、この溝に減衰器の一端が結合し、減衰器の他端が前記本体の壁面に当接するように配置したことを特徴とする、請求項１に記載の釣竿用リール。
【請求項５】
前記本体の収容空間は通路とスリーブとを含み、前記通路が前記本体の壁面に形成され、前記スリーブは、前記通路内に組み付けて固定され、その一端が閉鎖面として形成され、前記減衰器と前記ウォンシャフトの第一端とが前記スリーブの内部に組み付けられ、前記減衰器の一端が前記閉鎖面と接触することを特徴とする、請求項１に記載の釣竿用リール。
【請求項６】
前記閉鎖面は、閉鎖子を前記スリーブの一端に設置して前記前記スリーブを閉鎖することにより形成されることを特徴とする、請求項５に記載の釣竿用リール。
【請求項７】
更に、前記本体の壁面に回動自在に組み付けられ前記ウォンシャフトの第二端に対応する回転子を含み、前記減衰器の両端は、前記回転子と、前記ウォンシャフトの第二端とにそれぞれ結合させたことを特徴とする、請求項１に記載の釣竿用リール。
【請求項８】
前記減衰器の一端と結合するために、前記回転子には穴または溝が開設してあることを特徴とする、請求項７に記載の釣竿用リール。
【請求項９】
前記本体には通路が設けてあり、前記通路の内部には枢着ブロックが固定してあり、前記ウォンシャフトの第一端が前記枢着ブロックに枢着されることを特徴とする、請求項７に記載の釣竿用リール。
【請求項１０】
前記減衰器は、詰め体の内部に弾性子が組付けてあり、連動レバーは、その一端が前記減衰器の弾性子の一端に接触し、その他端が前記ウォンシャフトの端部と連接し、衝撃力が作用したときに、前記ウォンシャフトが変位して前記連動レバーを引いて前記弾性子を圧縮することにより前記衝撃力を減衰することを特徴とする、請求項７に記載の釣竿用リール。
【考案の詳細な説明】
【技術分野】
【０００１】
本考案は釣竿用リールに係り、特に減衰器を内蔵していて、衝撃力が作用したときに緩衝効果を発揮できる釣竿用リールに関するものである。
【背景技術】
【０００２】
従来の釣竿用リールの主な構成は、一つの本体と、一つの台座とを含み、前記本体は釣竿と結合するためのものである。前記台座の表面には魚釣り線(釣糸)が巻付けてある。
前記本体のクランクを回転駆動することにより、本体内部に設置された伝動機構と摺動機構とが作動して台座を回転させ、前記魚釣り線を直線的に変位させつつ台座に巻き取っている。
【０００３】
前記釣竿用リールの台座の運動方式は、回動と、直線的な変位とを含む。
そのため、伝動機構と摺動機構の噛合は精確でなければいけない。
魚釣りはアウトドアでの活動であるため、釣竿用リールが衝撃を受けたり墜落してしまったりすることが多々ある。
このような事態が発生すると、伝動機構と摺動機構の噛合が悪化して台座がスムーズに運動できなくなるといった問題がある。
【考案の開示】
【考案が解決しようとする課題】
【０００４】
本考案の主な目的は、衝撃力を緩衝することによって摺動機構を衝撃力から保護する減衰器をその内部に組付けることにより、衝撃力を受けても、伝動機構と摺動機構との精確な噛合を維持することができる釣竿用リールを提供することにある。
【課題を解決するための手段】
【０００５】
上記の目的を達成するためになされた本願の第１考案は、伝動機構と、摺動機構と、収容空間と、減衰器とを含み、ユーザが本体にあるクランクを駆動して台座が回転するようになると、魚釣り線が巻き取られる釣竿用リールにおいて、
【０００６】
前記伝動機構は、前記本体内に組み付けられ、前記クランクと結合し、前記台座を回転するためのものであり、前記摺動機構は、前記本体内に組み付けられ、前記伝動機構と噛合い、前記台座を直線的に移動するためのものであり、更に、第一端と第二端とを持つウォンシャフトを有し、前記収容空間は、前記本体の壁面に形成され、前記ウォンシャフトの一端部が前記収容空間に挿入され、前記減衰器は、前記収容空間に組付けられ、前記ウォンシャフトと前記本体の壁面の間に位置し、前記釣竿用リールが衝撃力を受けている場合には、前記減衰器が前記衝撃力を減衰し、前記ウォンシャフトの破壊確率が低減になることを特徴とする釣竿用リールであることを要旨としている。
【０００７】
本願の第２考案では、前記減衰器は、バネであり、その両端は、前記ウォンシャフトの第一端と、前記本体の壁面とにそれぞれ付勢することを特徴とする、前記第１考案に記載の釣竿用リールであることを要旨としている。
【０００８】
本願の第３考案では、本願の考案では、前記減衰器は、バネであり、その一端が前記ウォンシャフトの第一端に係られ、他端が前記本体の壁面に付勢することを特徴とする、前記第１考案に記載の釣竿用リールであることを要旨としている。
【０００９】
本願の第４考案では、本願の考案では、前記ウォンシャフトの第一端には、前記減衰器の一端と結合するための溝が開設してあり、前記減衰器の他端が前記本体の壁面に当接することを特徴とする、前記第１考案に記載の釣竿用リールであることを要旨としている。
【００１０】
本願の第５考案では、前記本体の収容空間は通路とスリーブとを含み、前記通路が前記本体の壁面に形成され、前記スリーブは、前記通路内に組付けて固定され、その一端が閉鎖面であり、前記減衰器と前記ウォンシャフトの第一端とが前記スリーブの内部に組み付けられ、前記減衰器の一端が前記閉鎖面と接触することを特徴とする、前記第１考案に記載の釣竿用リールであることを要旨としている。
【００１１】
本願の第６考案では、前記閉鎖面は、閉鎖子を前記スリーブの一端に設置して前記前記スリーブを閉鎖することにより形成されることを特徴とする、前記第５考案に記載の釣竿用リールであることを要旨としている。
【００１２】
本願の第７考案では、更に、前記本体の壁面に回動自在に組み付けられ前記ウォンシャフトの第二端に対応する回転子を含み、前記減衰器の両端は、前記回転子と、前記ウォンシャフトの第二端とにそれぞれ結合するされることを特徴とする、前記第１考案に記載の釣竿用リールであることを要旨としている。
【００１３】
本願の第８本願の考案では、前記減衰器の一端と結合するために、前記回転子には穴または溝が開設してあることを特徴とする、前記第７考案に記載の釣竿用リールであることを要旨としている。
【００１４】
本願の第９本願の考案では、前記本体には通路が設けてあり、前記通路の内部には枢着ブロックが固定してあり、前記ウォンシャフトの第一端が前記枢着ブロックに枢着されることを特徴とする、前記第７考案に記載の釣竿用リールであることを要旨としている。
【００１５】
本願の第１０本願の考案では、前記減衰器は、詰め体の内部に弾性子が組付けてあり、連動レバーは、一端が前記減衰器の弾性子の一端に接触し、他端が前記ウォンシャフトの端部と連接する構成であり、前記釣竿用リールが衝撃力を受けている場合には、前記ウォンシャフトが変位て前記連動レバーを引いて前記弾性子を圧縮することにより前記衝撃力が減衰されることを特徴とする、前記第７考案に記載の釣竿用リールであることを要旨としている。
【考案の効果】
【００１６】
本考案の釣竿用リールによれば、衝撃力を受けても、伝動機構と摺動機構との精確な噛合を維持することができる効果を有する。
【考案を実施するための最良の形態】
【００１７】
以下、添付した図面を参照しながら本考案の好適な実施の形態について詳細に説明する。
【００１８】
まず、図１を参照して説明する。
本考案の釣竿用リール１０は、本体１２と、前記本体１２の一側に結合される台座１４とを含む。前記台座１４には魚釣り線（図示せず）が巻き付けられる。前記本体１２にはクランク（図示せず）が組み付けてある。
【００１９】
前記本体１２の内部にチェンバー１６が形成してあり、前記クランクと結合する伝動機構１８が前記チェンバー１６の内部に組み付けられている。
前記伝動機構１８は、メーンギア２２と、回転軸ギア２４とを含む。
前記メーンギア２２が前記クランクと結合していて、前記クランクを回転するとメーンギア２２が回動する。
前記回転軸ギア２４は、一端が前記台座１４と結合していると共に、表面に形成した歯部が前記メーンギア２２と噛合している。
そのため、前記メーンギア２２は前記回転軸ギア２４を回転駆動することで台座１４を回動させることができる。
【００２０】
前記摺動機構２６は、前記本体１２のチェンバー１６の内部に組み付けられていて、前記伝動機構１８と噛合している。
前記摺動機構２６は、摺動軸２８と、スライドブロック３２と、伝動ギア３４と、ウォンシャフト３６とを含む。
【００２１】
前記摺動軸２８は、前記回転軸ギア２４の中心で軸方向に貫入されて、前記台座１４と結合している。
前記伝動ギア３４は、前記チェンバー１６の内部に組み付けられ、前記回転軸ギア２４と噛合している。
前記ウォンシャフト３６は、その一端が前記回転軸ギア２４の端部と結合し、他端が前記本体の壁面に枢着されている。
前記スライドブロック３２は前記ウォンシャフト３６の表面の螺旋部と噛合している。
【００２２】
前記伝動ギア３４と前記ウォンシャフト３６とは、互いに結合して同期して回転することができるように、別々の独立した部材であってもよいし、或いは一つのロッドの一部にウォンシャフト３６と伝動ギア３４とを形成したものであってもよい。
【００２３】
メーンギア２２の回動に伴い、伝動ギア３４とウォンシャフト３６とが駆動され、前記ウォンシャフト３６の駆動に伴い、スライドブロック３２と摺動軸２８とが直線的に往復変位する。
その結果、台座１４が直線的に往復変位する。
【００２４】
前記減衰器４０は、前記ウォンシャフト３６と、前記本体１０の壁面との間に組み付けられる。
具体的には、前記減衰器４０はバネであり、前記本体１０の壁面に形成された収容空間５２に取り付けられる。
【００２５】
図１と図２を参照して説明する。
前記ウォンシャフト３６と前記減衰器４０とを組付けるために、前記本体１０の壁面にある収容空間５２は、通路５４と、前記通路５４の内部に組み付けられたスリーブ５６とにより構成される。
前記通路５４の両端は開放状態にあり、その内径は前記ウォンシャフト３６の外径とほぼ一致するか、前記ウォンシャフト３６の外径よりもやや大きい。
そうすることで、前記ウォンシャフト３６を前記本体１０の外側から裏側へ挿入して本体１０内に組み付けることができる。
スリーブ５６は通路５４に組み付けられる。
前記スリーブ５６の内径は前記ウォンシャフト３６の端部の外径とほぼ一致するので、前記ウォンシャフト３６の一端を前記スリーブ５６に枢着することができる。
前記減衰器４０は、前記スリーブ５６の内部に組み付けられる。減衰器４０はその一端が前記ウォンシャフト３６の端部と接触し、他端が閉鎖面５８と当接する。
前記閉鎖面５８は、閉鎖子６２でもよく、そうすると、前記本体１０の表面に設けられたカバー６４も同時に閉鎖できる。
【００２６】
図３，４を参照して説明する。
図３は減衰器４０とウォンシャフト３６との第二の結合方式を示すものであって、減衰器４０の一端がウォンシャフト３６の端部に係止されている。
図４は減衰器４０とウォンシャフト３６との第三の結合方式を示すものであって、ウォンシャフト３６の一端に溝６６が開設してあり、この溝６６に減衰器４０の一端を結合させている。
【００２７】
また、図２を参照する。図２に示すように、ウォンシャフト３６の両端をそれぞれ第一端６８と第二端７２とする。
減衰器４０は、ウォンシャフト３６の第一端６８と、本体１０の壁面との間に組み付けられる。
【００２８】
また、図５を参照して他の緩衝構造を説明する。
図５に示すように、減衰器４０は、ウォンシャフト３６の第二端７２と、本体１０の壁面との間に組み付けられる。
回転子７４が本体１０の壁面に回動自在に組み付けられ、減衰器４０の両端が回転子７４とウォンシャフト３６の第二端７２とにそれぞれ係止されている。
また、本体１０には通路５４が設けてあり、この通路５４の内部には枢着ブロック８２が固定してある。前記ウォンシャフト３６の第一端６８は前記枢着ブロック８２に枢着される。
【００２９】
また、図６を参照して他の緩衝構造を説明する。
図６に示すように、回転子７４と、ウォンシャフト３６の第二端７２との表面には、溝７６と溝７８とがそれぞれ形成されていて、減衰器４０の両端がこれらの各溝７６，７８に夫々結合する。
【００３０】
回転子７４が本体１０の壁面に対して回転できる要因は、ウォンシャフト３６と減衰器４０とが回動可能であることにあり、且つ回転子７４はウォンシャフト３６および減衰器４０と同期して回動できなければならない。
【００３１】
また、図７を参照して他の緩衝構造を説明する。
図７に示すのは減衰器４０とウォンシャフト３６との第四の結合方式であって、減衰器４０は、詰め体８４の内部に弾性子８６が組み付けてある。
連動レバー８８は、その一端に前記弾性子８６の端部に接触するボール部９２が形成してあり、且つ他端が前記詰め体８４から突出してウォンシャフト３６の第二端７２と連接する構成である。
【００３２】
また、図８を参照して他の緩衝構造をする。
図８に示すのは減衰器４０とウォンシャフト３６との第五の結合方式であって、減衰器４０は、詰め体８４の内部に弾性子８６とボール９４とが組み付けてあり、連動レバー８８は、その一端が詰め体８４に貫入して弾性子８６の端部にあるボール９４と結合し、他端がウォンシャフト３６の第二端７２と結合してもよいし、ウォンシャフト３６の第二端７２から延長して形成したものであってもよい。
【００３３】
上記した各実施例の説明から明らかなように、ウォンシャフト３６の端部と、本体１０の壁面との間に減衰器４０が組み付けてある。
釣竿用リールが外部から衝撃力を受けたり、釣竿用リールが落下した場合には、減衰器４０がこのような衝撃力を減衰するために、ウォンシャフト３６の歪みや緩みが発生することを防止できる。
そのため、ウォンシャフト３６とスライドブロック３２との精確な噛合を維持することができ、且つ前記ウォンシャフト３６が破壊する確率が極めて低くなる。
同様に、伝動機構と摺動機構との精確な噛合を維持することもできるから、台座１４はスムーズに運動することができる。
【図面の簡単な説明】
【００３４】
【図１】本考案の実施例の構造を示す概略図である。
【図２】本考案の緩衝構造を示す概略図１である。
【図３】本考案の緩衝構造を示す概略図２である。
【図４】本考案の緩衝構造を示す概略図３である。
【図５】本考案の緩衝構造を示す概略図４である。
【図６】本考案の緩衝構造を示す概略図５である。
【図７】本考案の緩衝構造を示す概略図６である。
【図８】本考案の緩衝構造を示す概略図７である。
【符号の説明】
【００３５】
１０      釣竿用リール                   
１２      本体
１４      台座                      
１６      チェンバー
１８      伝動機構                       
２２      メーンギア
２４      回転軸ギア                              
２６      摺動機構
２８      摺動軸           
３２      スライドブロック
３４      伝動ギア                       
３６      ウォンシャフト
４０      減衰器           
５２      収容空間
５４      通路             
５６      スリーブ
５８      閉鎖面                    
６２      閉鎖子
６４      カバー                    
６６      溝
６８      第一端           
７２      第二端
７４      回転子                         
７６      溝
７８      溝               
８２      枢着ブロック
８４      詰め体           
８６      弾性子
８８      連動レバー                
９２      ボール部
９４      ボール
【図１】
0003129092.tif 000003
【図２】
0003129092.tif 000004
【図３】
0003129092.tif 000005
【図４】
0003129092.tif 000006
【図５】
0003129092.tif 000007
【図６】
0003129092.tif 000008
【図７】
0003129092.tif 000009
【図８】
0003129092.tif 000010